(57)【特許請求の範囲】
【請求項１】
光信号を伝送する伝送装置において、
コンカチ情報をマルチキャストまたはブロードキャストするクロスコネクト部と、
前記クロスコネクト部によってマルチキャストまたはブロードキャストされた先頭データおよび従属データのコンカチ情報のグループにグループ番号を付与する付与部と、
前記付与部によって付与された同じグループ番号において従属データに対応する先頭データのコンカチ情報を検索する検索部と、
前記検索部によって前記同じグループ番号について検索された先頭データのコンカチ情報に基づいて、該先頭データのクロスコネクト後の新たな出力先の情報を含むように従属データのコンカチ情報を再生成する再生成部と、
先頭データおよび従属データの出力先を切替えるスイッチの先頭データのスイッチ情報を記憶する記憶部と、
前記再生成部で生成された従属データのコンカチ情報に含まれている先頭データ情報に基づいて前記記憶部を参照し、前記再生成部で生成されたコンカチ情報の従属データのスイッチ情報を検索する情報検索部と、
前記情報検索部で検索されたスイッチ情報に基づいて、従属データのスイッチを切替える切替え部と、
を有することを特徴とする伝送装置。
【請求項２】
前記クロスコネクト部でクロスコネクトされるコンカチ情報をインタフェース基準からスイッチ基準のコンカチ情報に変換する変換部をさらに有する
ことを特徴とする請求項１に記載の伝送装置。
【請求項３】
前記変換部は、当該伝送装置が光ネットワークに適用されるアプリケーションに応じてコンカチ情報を変換する
ことを特徴とする請求項２に記載の伝送装置。
【請求項４】
前記変換部は、１＋１またはＢＬＳＲに対応するスイッチの切替えが発生した場合、コンカチ情報を変換する
ことを特徴とする請求項２に記載の伝送装置。
【請求項５】
前記切替え部の切替えるスイッチは、パススイッチ、デュアル転送プロテクションスイッチ、またはサービスセレクタである
ことを特徴とする請求項１に記載の伝送装置。
【請求項６】
前記検索部が処理を実行する期間と、前記記憶部、前記情報検索部、および前記切替え部が処理を実行する期間とが重ならないように設定される
ことを特徴とする請求項１に記載の伝送装置。
【請求項７】
光信号を伝送する伝送装置のスイッチ切替え方法において、
コンカチ情報をマルチキャストまたはブロードキャストし、
マルチキャストまたはブロードキャストした先頭データおよび従属データのコンカチ情報のグループにグループ番号を付与し、
付与した同じグループ番号において従属データに対応する先頭データのコンカチ情報を検索し、
前記同じグループ番号について検索した先頭データのコンカチ情報に基づいて、該先頭データのクロスコネクト後の新たな出力先の情報を含むように従属データのコンカチ情報を再生成し、
先頭データおよび従属データの出力先を切替えるスイッチの先頭データのスイッチ情報を記憶部に記憶し、
生成した従属データのコンカチ情報に含まれている先頭データ情報に基づいて前記記憶部を参照し、生成したコンカチ情報の従属データのスイッチ情報を検索し、
検索したスイッチ情報に基づいて、従属データのスイッチを切替える
ことを特徴とするスイッチ切替え方法。
【発明の詳細な説明】
【技術分野】
【０００１】
本件は、光信号を伝送する伝送装置およびスイッチ切替え方法に関する。
【背景技術】
【０００２】
光技術の発展に伴い、波長多重（ＤＷＤＭ：Dense Wavelength Division Multiplex）通信に適した光パスの概要や符号誤り訂正技術等を採用したＯＴＮ（Optical Transport Network）が標準化されている。
【０００３】
このＯＴＮは、通信基幹網の主流であった音声からデータへの移行の流れのある中、イーサネット（登録商標）への対応が進んできており、標準化規格もイーサネットを含んだ形で変更されている。また、伝送容量の増加により容量も１０Ｇから４０Ｇ、そして１００Ｇまでの規格が標準化されつつある。
【０００４】
なお、従来、ネットワークに障害が発生していない場合にはリングネットワークシステムの帯域を有効利用するとともに、障害発生時にはプロテクション処理を行い、全てのデータを送信先へ届けることができるＬＣＡＳ（Link Capacity Adjustment Scheme）を用いたプロテクション方式およびこれを用いるリング装置が提供されている（例えば、特許文献１参照）。
【先行技術文献】
【特許文献】
【０００５】
【特許文献１】特開２００２−３５９６２７号公報
【発明の概要】
【発明が解決しようとする課題】
【０００６】
しかし、ＯＴＮでは、自由にデータグループ（コンカチグループ）を形成することが可能である。そのため、複数のｔｓ（Tributary Slot）を使用してデータをマルチキャストすると、スイッチング後の先頭データと従属データのペアリングが崩れる場合があるという問題点があった。
【０００７】
本件はこのような点に鑑みてなされたものであり、スイッチング後の先頭データと従属データのペアリングを合わせることができる伝送装置およびスイッチ切替え方法を提供することを目的とする。
【課題を解決するための手段】
【０００８】
上記課題を解決するために、光信号を伝送する伝送装置が提供される。この伝送装置は、コンカチ情報をマルチキャストまたはブロードキャストするクロスコネクト部と、前記クロスコネクト部によってマルチキャストまたはブロードキャストされた先頭データおよび従属データのコンカチ情報のグループにグループ番号を付与する付与部と、前記付与部によって付与された同じグループ番号において従属データに対応する先頭データのコンカチ情報を検索する検索部と、前記検索部によって検索された先頭データのコンカチ情報に基づいて従属データのコンカチ情報を再生成する再生成部と、先頭データおよび従属データの出力先を切替えるスイッチの先頭データのスイッチ情報を記憶する記憶部と、前記再生成部で生成された従属データのコンカチ情報に含まれている先頭データ情報に基づいて前記記憶部を参照し、前記再生成部で生成されたコンカチ情報の従属データのスイッチ情報を検索する情報検索部と、前記情報検索部で検索されたスイッチ情報に基づいて、従属データのスイッチを切替える切替え部と、を有する。
【発明の効果】
【０００９】
開示の装置および方法によれば、スイッチング後の先頭データと従属データのペアリングを合わせることができる。
【図面の簡単な説明】
【００１０】
【図１】第１の実施の形態に係る伝送装置を示した図である。
【図２】２Ｆ−ＢＬＳＲの通常時を示した図である。
【図３】２Ｆ−ＢＬＳＲの障害時を示した図である。
【図４】通常時のコンカチ情報の流れを示した図である。
【図５】障害時のコンカチ情報の流れを示した図である。
【図６】ＳＯＮＥＴとＯＴＮにおけるスイッチ情報の合わせ込みを説明する図である。
【図７】ＳＯＮＥＴにおけるマルチキャストを説明する図である。
【図８】ＯＴＮにおけるマルチキャストを説明する図である。
【図９】ＵＰＳＲの通常時を示した図である。
【図１０】ＵＰＳＲの障害時を示した図である。
【図１１】通常時のクロスコネクトとパススイッチの動作を説明する図である。
【図１２】障害時のクロスコネクトとパススイッチの動作を説明する図のその１である。
【図１３】障害時のクロスコネクトとパススイッチの動作を説明する図のその２である。
【図１４】マルチキャストを説明する図である。
【図１５】第２の実施の形態に係る伝送装置のブロック図である。
【図１６】伝送装置の動作を説明する図のその１である。
【図１７】伝送装置の動作を説明する図のその２である。
【図１８】伝送装置の動作を説明する図のその３である。
【図１９】コンカチ情報変換を説明する図である。
【図２０】アプリケーションに対するコンカチ情報の変換を説明する図である。
【図２１】リングスイッチ前後のコンカチ情報を説明する図である。
【図２２】スイッチ状態の合わせ込みを説明する図である。
【図２３】スイッチ状態の合わせ込みを行うブロックを示した図である。
【図２４】クロスコネクト後のコンカチ情報処理を説明する図である。
【図２５】コンカチ情報の再生成処理を行うブロックを示した図である。
【図２６】コンカチ情報の再生成処理動作を説明する図である。
【図２７】コンカチ情報の再生成処理タイミングを示した図である。
【図２８】コンカチ情報の再生成処理のフローチャートである。
【図２９】マルチキャスト動作を示した図である。
【発明を実施するための形態】
【００１１】
以下、実施の形態を、図面を参照して詳細に説明する。
［第１の実施の形態］
図１は、第１の実施の形態に係る伝送装置を示した図である。図１に示すように、伝送装置は、クロスコネクト（ＸＣ）部１、付与部２、検索部３、再生成部４、記憶部５、情報検索部６、および切替え部７を有している。
【００１２】
ＸＣ部１は、コンカチ情報をマルチキャストまたはブロードキャストする。ＸＣ部１では、マルチキャストまたはブロードキャストされる先頭ｔｓのコンカチ情報と従属ｔｓのコンカチ情報との対応関係が分かっている。
【００１３】
付与部２は、ＸＣ部１によってマルチキャストまたはブロードキャストされた先頭データおよび従属データのコンカチ情報のグループにグループ番号を付与する。例えば、図１に示すように、付与部２は、先頭ｔｓ１と、先頭ｔｓ１に従属する従属ｔｓ６のコンカチ情報にグループ番号０を付与する。また、付与部２は、先頭ｔｓ５と、先頭ｔｓ５に従属する従属ｔｓ２のコンカチ情報にグループ番号１を付与する。
【００１４】
検索部３は、付与部２によって付与された同じグループ番号において従属データに対応する先頭データのコンカチ情報を検索する。例えば、検索部３は、従属ｔｓ６の先頭ｔｓを検索するのに、グループ番号０が付与されたｔｓを検索し、従属ｔｓ６に対応する先頭ｔｓ１のコンカチ情報を検索する。
【００１５】
再生成部４は、検索部３によって検索された先頭データのコンカチ情報に基づいて、従属データのコンカチ情報を再生成する。例えば、再生成部４は、先頭ｔｓ１のコンカチ情報に基づいて、従属ｔｓ６のコンカチ情報を再生成する。このコンカチ情報の再生成により、従属ｔｓ６のコンカチ情報には、例えば、先頭ｔｓ１のクロスコネクト後の新たな出力先の情報が含まれる。
【００１６】
記憶部５は、先頭データおよび従属データの出力先を切替えるスイッチの先頭データのスイッチ情報を記憶する。
情報検索部６は、再生成部４で生成された従属データのコンカチ情報に含まれている先頭データ情報に基づいて記憶部５を参照し、再生成部４で生成されたコンカチ情報の従属データのスイッチ情報を検索する。例えば、情報検索部６は、従属ｔｓ６に含まれている先頭ｔｓ１の先頭データ情報に基づいて記憶部５を参照し、対応する先頭ｔｓ１のスイッチ情報を検索する。
【００１７】
切替え部７は、情報検索部６で検索されたスイッチ情報に基づいて、従属データのスイッチを切替える。例えば、切替え部７は、情報検索部６で検索された先頭ｔｓ１のスイッチ情報に基づいて、従属ｔｓ６のスイッチを切替える。すなわち、切替え部７は、従属ｔｓ６のスイッチを、従属ｔｓ６に対応する先頭ｔｓ１のスイッチ情報で切替え、スイッチング後の先頭ｔｓ１と従属ｔｓ６のペアリングを合わせる。
【００１８】
このように、伝送装置は、マルチキャストまたはブロードキャストされたコンカチ情報のグループにグループ番号を付与し、そのグループ番号内で従属データに対応する先頭データのコンカチ情報を検索する。また、伝送装置は、検索した先頭データのコンカチ情報に基づいて従属データのコンカチ情報を再生成する。また、伝送装置は、従属データのコンカチ情報に含まれる先頭データ情報に基づいて記憶部５を参照し、再生成部４で再生成されたコンカチ情報の従属データに対応する先頭データのスイッチ情報を検索する。そして、伝送装置は、検索されたスイッチ情報に基づいて、従属データのスイッチを切替える。これにより、伝送装置は、スイッチング後の先頭データと従属データのペアリングを合わせることができる。また、先頭データと従属データのペアリングを合わせることができることにより、スイッチング後のデータマッピングを適切に行うことができる。
【００１９】
［第２の実施の形態］
次に、第２の実施の形態を、図面を参照して詳細に説明するが、その前に、コンカチグループを自由に形成できるＯＴＮの問題点について説明する。まず、２Ｆ−ＢＬＳＲ（2Fiber-Bidirectional Line Switched Ring）における問題点について説明する。
【００２０】
図２は、２Ｆ−ＢＬＳＲの通常時を示した図である。図２に示すように、伝送装置１１〜１６は、ＯＴＮのリングネットワークを形成している。図２のＯＴＮは、障害が発生した場合、２Ｆ−ＢＬＳＲに基づくリング切替えを行う。図２は、障害が発生していない状態（通常時）を示しており、例えば、伝送装置１１，１４は、伝送装置１２，１３を経由して、信号を伝送している。
【００２１】
伝送装置１１〜１６は、例えば、回線容量の半分をワーク信号に使用し、残りの半分をプロテクション信号に使用する。例えば、伝送装置１２，１３の間がＯＤＵ（Optical channel Data Unit）２である場合、図２に示すように、ｔｓ１〜４はワーク信号として使用され、ｔｓ５〜８はプロテクション信号として使用される。
【００２２】
図３は、２Ｆ−ＢＬＳＲの障害時を示した図である。図３において、図２と同じものには同じ符号を付し、その説明を省略する。
図３では、伝送装置１２，１３の間で障害が発生している。この場合、伝送装置１２では、イースト側のリング−ブリッジ（Ｅ）とリング−スイッチ（Ｅ）とがオンする。また、伝送装置１３では、ウエスト側のリング−ブリッジ（Ｗ）とリング−スイッチ（Ｗ）とがオンする。
【００２３】
イーストからウエスト側への信号伝送に着目すると、上記のスイッチおよびブリッジ制御により、伝送装置１３のウエスト側出力のｔｓ１〜ｔｓ４は、イースト側のｔｓ５〜ｔｓ８により、伝送装置１４，１５，１６，１１を経由し、伝送装置１２に伝送される。伝送装置１２のイースト側出力のｔｓ５〜ｔｓ８は、ウエスト側のｔｓ１〜ｔｓ４により、伝送装置１１に伝送される。これにより、イーストからウエスト側への信号伝送は救済される。
【００２４】
ウエストからイースト側への信号伝送に着目すると、上記のスイッチおよびブリッジ制御により、伝送装置１２のイースト側出力のｔｓ１〜ｔｓ４は、ウエスト側のｔｓ５〜ｔｓ８により、伝送装置１１，１６，１５，１４を経由し、伝送装置１３に伝送される。伝送装置１３のウエスト側出力のｔｓ５〜ｔｓ８は、イースト側のｔｓ１〜ｔｓ４により、伝送装置１４に伝送される。これにより、ウエストからイースト側への信号伝送は救済される。
【００２５】
図４は、通常時のコンカチ情報の流れを示した図である。図４には、伝送装置内のリングスイッチが示してある。図４に示すように、通常時では、イースト側のリング−スイッチ（Ｅ）は、入力コンカチ情報（入力コンカチコード）Ａをスルーして出力する。ウエスト側のリング−スイッチ（Ｗ）は、入力コンカチ情報Ｃをスルーして出力する。
【００２６】
図５は、障害時のコンカチ情報の流れを示した図である。図５の例では、リング−スイッチ（Ｅ）は障害発生により、入力されているコンカチ情報Ｄを選択して出力している。リング−スイッチ（Ｗ）は障害発生により、入力されているコンカチ情報Ｃをスルーして出力している。このため、伝送装置のリングスイッチから出力されるコンカチ情報Ｄは、イーストのワーク側とウエストのプロテクション側とで同じコードとなってしまう。このため、伝送装置の下流側において、従属ｔｓが先頭ｔｓに付随して制御されるとき、従属ｔｓに対応する先頭ｔｓが唯一のものでなくなってしまい、従属ｔｓは、誤った制御がされる場合がある。
【００２７】
スイッチの合わせ込みにおける問題点について説明する。
図６は、ＳＯＮＥＴとＯＴＮにおけるスイッチの合わせ込みを説明する図である。図６の上部には、ＳＯＮＥＴ（Synchronous Optical Network）におけるスイッチの合わせ込みを説明する図が示してあり、下部には、ＯＴＮにおけるスイッチの合わせ込みを説明する図が示してある。スイッチは、例えば、ＰＳＷ（Pass SWitch）、ＤＴＰ（Dual Transmit Protection）−ＳＷ、またはＳ．Ｓ（Service Selector）である。
【００２８】
図６の上部に示すように、ＳＯＮＥＴでは、先頭ｃｈの次に従属ｃｈ、従属ｃｈと連続しており、従属ｃｈと先頭ｃｈの対応関係が分かっている。そのため、先頭ｃｈのスイッチ情報をメモリなどに保持しておくことで、従属ｃｈは、保持した先頭ｃｈのスイッチ情報を用いることができる。これにより、コンカチ情報内のｃｈのスイッチを合わせることができる。
【００２９】
一方、図６の下部に示すように、ＯＴＮでは、コンカチグループ内の従属ｔｓと先頭ｔｓの位置関係が固定されていないため、ＳＯＮＥＴの場合と同様の方法では、コンカチ情報内のｔｓのスイッチを合わせることができない。
【００３０】
マルチキャスト時における問題点について説明する。
図７は、ＳＯＮＥＴにおけるマルチキャストを説明する図である。図７には、伝送装置内のクロスコネクト２１が示してある。図７では、クロスコネクト２１は、入力されるデータをマルチキャストしている。
【００３１】
ＳＯＮＥＴでは、図５でも説明したように、コンカチグループは固定的である。従って、ＳＯＮＥＴでは、クロスコネクト後のコンカチグループも明確である。
すなわち、ＳＯＮＥＴでは、クロスコネクトでｃｈ出力をどこに設定しても、コンカチ種別（ＳＴＳ−３ｃ，ＳＴＳ−１２ｃ，ＳＴＳ−４８ｃ，ＳＴＳ−１９２ｃ，ＳＴＳ−７６８ｃ）が分かれば、ｃｈのコンカチグループが分かる。例えば、図７において、ｃｈ２，３は、ｃｈ１の従属であると分かる。また、ｃｈ２６，２７は、ｃｈ２５の従属であると分かる。
【００３２】
図８は、ＯＴＮにおけるマルチキャストを説明する図である。ＯＴＮの規格では、先頭ｔｓと従属ｔｓの関係をフレキシブルに設定できる。そのため、ＯＴＮでは、図７に示したＳＯＮＥＴのクロスコネクトのように、その出力において、先頭ｔｓと従属ｔｓの関係を判断することができない。例えば、図８において、ｔｓ２の先頭ｔｓは、ｔｓ１であるのかｔｓ５であるのか判断することができない。
【００３３】
ＵＰＳＲ（Unidirectional Path Switched Ring）における問題点について説明する。  図９は、ＵＰＳＲの通常時を示した図である。図９に示すように、伝送装置３１〜３６は、ＯＴＮのリングネットワークを形成している。図９のＯＴＮは、障害が発生した場合、ＵＰＳＲに基づくリング切替えを行う。図９は、障害が発生していない状態（通常時）を示している。伝送装置３４は、クロスコネクト３４ａおよびパススイッチ３４ｂ，３４ｃを有している。
【００３４】
ＵＰＳＲでは、通常時、例えば、図９に示すように、送信側である伝送装置３１から、イースト方向とウエスト方向とに同じ信号を送信する。そして、受信側である伝送装置３３，３４は、回線品質のよい方を選択（パススイッチ）して受信することにより、信号救済することができる。
【００３５】
図９の例では、伝送装置３４のクロスコネクト３４ａには、スロット１とスロット２から、伝送装置３１から伝送される信号が入力されている。クロスコネクト３４ａは、スロット１，２の信号をパススイッチ３４ｂに出力し、パススイッチ３４ｂは、スロット１の信号をドロップしている。すなわち、伝送装置３４には、イースト側とウエスト側とから、伝送装置３１から伝送される信号が入力され、伝送装置３４は、イースト側からの信号をドロップしている。
【００３６】
また、クロスコネクト３４ａは、スロット１の信号をパススイッチ３４ｃに出力し、パススイッチ３４ｃは、スロット１の信号をスロット４に出力している。すなわち、伝送装置３４は、イースト側の信号をウエスト側にスルーしている。スルーされた信号は、伝送装置３３に伝送され、ドロップされている。なお、以下では、スロットをインタフェースカードと呼ぶこともある。
【００３７】
図１０は、ＵＰＳＲの障害時を示した図である。図１０において、図９と同じものには同じ符号を付し、その説明を省略する。
図１０では、伝送装置３４，３５の間のウエスト−イースト方向で障害が生じている。これにより、伝送装置３４には、イースト側から入力される信号が遮断されている。伝送装置３４のパススイッチ３４ｂは、スロット２から入力される信号をスロット３にドロップするようにする。すなわち、伝送装置３４は、ウエスト側から伝送される信号をドロップして、信号救済を行う。
【００３８】
図１１は、通常時のクロスコネクトとパススイッチの動作を説明する図である。図１１には、伝送装置３４のクロスコネクト３４ａとパススイッチ（ＰＳＷ）３４ｂ，３４ｃが示してある。伝送する信号は、ＯＤＵ１やＯＤＵ２などの複数のｔｓのデータグループ（コンカチグループ）であるとする。なお、コンカチグループの先頭ｔｓを先頭データと呼ぶことがある。また、コンカチグループの従属ｔｓを従属データと呼ぶことがある。
【００３９】
クロスコネクト３４ａの設定には、イースト側とウエスト側に対応するＡ面とＢ面とがある。クロスコネクト３４ａは、先頭データおよび従属データをドロップするスロット３に対して、Ａ面にスロット１（イースト側）を設定し、Ｂ面にスロット２（ウエスト側）を設定している。パススイッチ３４ｂは、通常時においては、スロット１を選択し（パススイッチ状態‘０’）、スロット３にドロップしている。すなわち、パススイッチ３４ｂは、イースト側の先頭データおよび従属データをスロット３にドロップしている。
【００４０】
クロスコネクト３４ａは、スロット４に対してはスロット１を設定している。図１１では、スロット４は、信号をドロップしないので、パススイッチ３４ｃは、スイッチ制御を行わない（パススイッチ状態‘０’）。なお、ハードウェアとして、クロスコネクト３４ａの出力に、パススイッチ３４ｃは実装される。
【００４１】
図１２は、障害時のクロスコネクトとパススイッチの動作を説明する図のその１である。図１２において、図１１と同じものには同じ符号が付してある。図１２には、図１０に示す伝送装置３４，３５の間で障害発生したときの動作が示してある。
【００４２】
図１０に示す位置で障害が発生した場合、スロット１からの信号にアラームが発生するため、パススイッチ３４ｂは、回線品質のよいスロット２からの先頭データを選択し（パススイッチ状態‘１’）、スロット３に出力する。また、パススイッチ３４ｂは、従属データに対しても、対応する先頭データと同じ方向を選択し（パススイッチ状態‘１’）、スロット３に出力する。これにより、伝送装置３１から伝送される信号の信号救済が行われる。
【００４３】
図１３は、障害時のクロスコネクトとパススイッチの動作を説明する図のその２である。図１３において、図１２と同じものには同じ符号が付してある。図１３では、クロスコネクト後において、先頭データの誤認識が行われた場合の動作が示してある。
【００４４】
スロット３のＡ面設定された従属データは、スロット３に出力される先頭データでなく、スロット４に出力される先頭データに追従するとする（先頭誤認識）。
この場合、先頭データを選択するパススイッチ３４ｂは、通信品質のよいスロット２からの先頭データを選択し（パススイッチ状態‘１’）、スロット３へ出力する。一方、従属データを選択するパススイッチ３４ｂは、上記した先頭誤認識により、パススイッチ３４ｃの先頭データのスイッチ状態（パススイッチ状態‘０’）に追従し、スロット１の従属データを選択して、スロット３へ出力する。このため、伝送装置３４は、従属データの先頭誤認識が発生すると、スロット１の障害が発生した方向を選択し、信号救済が行われなくなる。
【００４５】
障害が発生していない場合に生じる問題点について説明する。
図１４は、マルチキャストを説明する図である。図１４には、伝送装置内のインタフェースカード５１，５３，５４およびスイッチカード５２が示してある。インタフェースカード５１は、デマッパ部５１ａを有している、スイッチカード５２は、クロスコネクト５２ａを有している。インタフェースカード５３，５４は、マッパ部５３ａ，５４ａを有している。
【００４６】
インタフェースカード５１のデマッパ部５１ａは、ＯＴＮのデータを先頭データＡおよび従属データＢ〜Ｘにデマッピングする。
スイッチカード５２のクロスコネクト５２ａは、インタフェースカード５１のデマッパ部５１ａでデマッピングされた先頭データＡおよび従属データＢ〜Ｘを、インタフェースカード５３用に従属データＡ０および先頭データＢ０〜Ｘ０にクロスコネクトする。また、クロスコネクト５２ａは、デマッピングされた先頭データＡおよび従属データＢ〜Ｘを、インタフェースカード５４用に先頭データＡ１および従属データＢ１〜Ｘ１にクロスコネクトする。
【００４７】
先頭データは、自身が先頭であるというデータを伴ってクロスコネクトされるので、自身が‘先頭データである’ということを認識されることができる。一方、従属データは、例えば、自身が‘先頭データＡの従属データである’という情報を伴ってクロスコネクトされるが、‘クロスコネクト前の先頭データＡの従属データである’と認識されることができるだけで、クロスコネクト後の先頭データＢ０の従属データであるのか、先頭データＡ１の従属データであるのか認識されることができない。
【００４８】
このため、インタフェースカード５３，５４は、クロスコネクトされた先頭データおよび従属データをＯＴＮデータとしてマッピングするとき、クロスコネクトされた従属データがどの先頭データに対応するのか認識できず、マッピングすることができない。
【００４９】
以下、第２の実施の形態に係る伝送装置について説明する。
図１５は、第２の実施の形態に係る伝送装置のブロック図である。図１５に示すように、伝送装置は、インタフェースカード６１，６３、スイッチカード６２、ＣＰＵ（Central Processing Unit）ユニット６４を有している。インタフェースカード６１，６３は、パケットの終端処理を行う。スイッチカード６２は、クロスコネクトの処理を行う。また、スイッチカード６２は、伝送装置が適用されるアプリケーションによって、例えば、１＋１、１：Ｎ、ＵＰＳＲまたはＢＬＳＲのスイッチ処理を行う。ＣＰＵユニット６４は、伝送装置全体を制御し、例えば、同期制御や監視制御を行う。伝送装置は、スイッチにおける先頭データと従属データの合わせ込み機能、インタフェースカード６１から出力されるコンカチ情報を出力側のインタフェースカード６３に通知する機能、およびクロスコネクト後のコンカチ情報を処理する機能を有している。
【００５０】
インタフェースカード６１は、ＯＴＮ終端部６１ａおよび内部ＯＨ（Over Head）生成部６１ｂを有している。ＯＴＮ終端部６１ａは、ＯＨＩＮＳ（OHINSert）部６１ａａおよびＣＩＤＥＴ（Concatenation Information Detect）部６１ａｂを有している。
【００５１】
スイッチカード６２は、ＯＨドロップ部６２ａ、スイッチ制御信号生成部６２ｂ、ＡＣＭ（Address Column Memory data）コードスイッチ処理部６２ｃ、ＣＩ変換部６２ｄ、ＸＣ部６２ｅ、ＣＰＵ６２ｆ、およびインタフェース部６２ｇを有している。スイッチ制御信号生成部６２ｂは、ＣＩ変換部６２ｂａ、ＸＣ部６２ｂｂ、再生成部６２ｂｃ、メモリ６２ｂｄ、および制御信号生成部６２ｂｅ，６２ｂｆを有している。ＡＣＭコードスイッチ処理部６２ｃは、コンカチ情報変換部６２ｃａ，６２ｃｄ、スイッチ処理部６２ｃｂ，６２ｃｃを有している。なお、ＡＣＭコードスイッチ処理部６２ｃは、バーチャルスイッチと同等である。
【００５２】
インタフェースカード６１のＯＴＮ終端部６１ａには、ＯＴＮ信号が入力される。ＯＴＮ終端部６１ａのＣＩＤＥＴ部６１ａｂは、ＯＴＮのコンカチ情報を終端する。
内部ＯＨ生成部６１ｂのＯＨ生成部６１ｂａは、伝送装置内のローカルフォーマットに適合するオーバヘッドを生成する。生成するオーバヘッドには、終端されたコンカチ情報が含まれる。
【００５３】
ＯＴＮ終端部６１ａのＯＨＩＮＳ部６１ａａは、ＯＴＮフレームの空き領域に内部ＯＨ生成部６１ｂの生成したオーバヘッドを挿入し、ローカルフォーマットのフレームを生成する。
【００５４】
なお、先頭ｔｓのコンカチ情報には、先頭ｔｓであることを示すフラグ、先頭ｔｓのインタフェースカード番号、およびＯＤＵサイズが含まれる。従属ｔｓのコンカチ情報には、従属ｔｓであることを示すフラグ、先頭ｔｓのインタフェースカード番号、および先頭ｔｓのｔｓ番号が含まれる。
【００５５】
スイッチカード６２のＯＨドロップ部６２ａは、インタフェースカード６１で挿入されたコンカチ情報を抽出し、スイッチ制御信号生成部６２ｂに出力する。ＣＩ変換部６２ｂａは、インタフェースカード６１で生成されたインタフェースカード基準のコンカチ情報を、スイッチカード６２内でスイッチする基準のコンカチ情報に変換する。変換されたスイッチ基準のコンカチ情報は、ＡＣＭコードスイッチ処理部６２ｃに出力される。
【００５６】
ＡＣＭコードスイッチ処理部６２ｃのコンカチ情報変換部６２ｃａは、スイッチ基準のコンカチ情報を、各アプリケーションに応じたコンカチ情報に変換する。例えば、伝送装置がＵＰＳＲに適用される場合、ＵＰＳＲに応じたコンカチ情報に変換する。また、例えば、伝送装置がＢＬＳＲに適用される場合、ＢＬＳＲに応じたコンカチ情報に変換する。
【００５７】
スイッチ処理部６２ｃｂは、障害情報およびコンカチ情報に基づいてスイッチを切替える。スイッチは、上記したように、例えば、ＰＳＷ、ＤＴＰ−ＳＷ、またはＳ．Ｓである。具体的には、スイッチ処理部６２ｃｂは、例えば、図４、図５に示すスイッチに対応する。
【００５８】
コンカチ情報変換部６２ｃａで変換されたコンカチ情報は、クロスコネクトされるものはスイッチ制御信号生成部６２ｂのＸＣ部６２ｂｂに出力され、クロスコネクトされずにスルーされるものはスイッチ処理部６２ｃｃに出力される。
【００５９】
スイッチ制御信号生成部６２ｂのＸＣ部６２ｂｂは、コンカチ情報をクロスコネクトする。再生成部６２ｂｃは、コンカチ情報がマルチキャストされた場合、従属ｔｓのコンカチ情報がどの先頭ｔｓに従属すればよいかを認識できるように、従属ｔｓのコンカチ情報を再生成する。
【００６０】
メモリ６２ｂｄは、コンカチ情報変換部６２ｃａおよび再生成部６２ｂｃから出力されるコンカチ情報を保持する。制御信号生成部６２ｂｆは、メモリ６２ｂｄを参照し、スイッチ処理部６２ｃｃを介して、先頭ｔｓと従属ｔｓのスイッチの合わせ込み制御を行う。制御信号生成部６２ｂｆは、先頭ｔｓを処理するときには、そのスイッチ情報（例えば、図１１〜図１３に示したＰＳＷの状態を示す‘０’，‘１’）をメモリ６２ｂｄに保持する。また、制御信号生成部６２ｂｆは、従属ｔｓを処理するときには、メモリ６２ｂｄに保持されている、対応する先頭ｔｓのスイッチ情報を検索して、先頭ｔｓのスイッチ状態に合わせるようにスイッチ処理部６２ｃｃを制御する。
【００６１】
制御信号生成部６２ｂｅは、スイッチ処理部６２ｃｂのスイッチ制御をするための信号を生成する。
ＡＣＭコードスイッチ処理部６２ｃのスイッチ処理部６２ｃｃは、コンカチ情報変換部６２ｃａまたは再生成部６２ｂｃから出力されるコンカチ情報および障害情報に基づいてスイッチを切替える。コンカチ情報変換部６２ｃｄは、スイッチ基準のコンカチ情報を、各アプリケーションに応じたコンカチ情報に変換する。ＣＩ変換部６２ｄは、スイッチ基準のコンカチ情報をインタフェースカード６３基準のコンカチ情報に変換する。
【００６２】
ＸＣ部６２ｅは、主信号のクロスコネクトを行う。ＸＣ部６２ｅは、主信号のクロスコネクト処理時に、主信号の空きオーバヘッドに、ＣＩ変換部６２ｄから出力されるコンカチ情報を挿入する。インタフェースカード６３は、ＸＣ部６２ｅから出力される主信号を、コンカチ情報に基づいてＯＴＮの送信フレームに変換する。
【００６３】
スイッチ制御信号生成部６２ｂのＣＰＵ６２ｆは、ＣＰＵユニット６４の指示に応じて、スイッチカード６２の全体を制御する。インタフェース部６２ｇは、ＣＰＵ６２ｆとスイッチ制御信号生成部６２ｂとの間のデータのやり取りを仲介する。
【００６４】
以下、図１５のＯＨドロップ部６２ａ、ＣＩ変換部６２ｂａ、制御信号生成部６２ｂｅ、コンカチ情報変換部６２ｃａ、およびスイッチ処理部６２ｃｂの処理を処理１、ＸＣ部６２ｂｂおよび再生成部６２ｂｃの処理を処理２、メモリ６２ｂｄ、制御信号生成部６２ｂｆ、スイッチ処理部６２ｃｃ、およびコンカチ情報変換部６２ｃｄの処理を処理３、ＣＩ変換部６２ｄおよびＸＣ部６２ｅの処理を処理４としてスイッチカード６２の動作を説明する。
【００６５】
［処理１］ＯＨドロップ部６２ａは、インタフェースカード６１でマッピングされたコンカチ情報を抽出し、スイッチ制御信号生成部６２ｂに出力する。スイッチ制御信号生成部６２ｂでは、インタフェースカード６１基準のコンカチ情報を、ＣＩ変換部６２ｂａによってスイッチ基準のコンカチ情報に変換する。変換されたコンカチ情報は、ＡＣＭコードスイッチ処理部６２ｃに出力され、コンカチ情報変換部６２ｃａによって、各種アプリケーションに適合したコンカチ情報に変換される。スイッチ処理部６２ｃｂは、コンカチ情報および障害情報に基づいてスイッチ処理を行う。制御信号生成部６２ｂｅは、ＣＰＵ６２ｆからの制御信号により、スイッチ処理部６２ｃｂを制御する制御信号を生成している。
【００６６】
［処理２］ＸＣ部６２ｂｂは、処理１で処理されたコンカチ情報をクロスコネクトする。クロスコネクトされたコンカチ情報は、マルチキャストされた場合に同じコンカチ情報が存在するため、ＣＰＵ６２ｆから設定される送信先の分岐情報をもとに、再生成部６２ｂｃでコンカチ情報を再生成する。
【００６７】
［処理３］制御信号生成部６２ｂｆは、ＵＰＳＲ（パススイッチ）やＢＬＳＲ（サービスセレクター等）のスイッチについて、先頭ｔｓと従属ｔｓのスイッチの合わせ込みを行う。先頭ｔｓの処理時には、先頭ｔｓのスイッチ情報をメモリ６２ｂｄに保持する。制御信号生成部６２ｂｆは、従属ｔｓの処理時には、再生成されたコンカチ情報に含まれる先頭ｔｓ情報から、先頭ｔｓのスイッチのスイッチ情報を検索して、従属ｔｓのスイッチを先頭ｔｓのスイッチ状態に合わせるようスイッチ処理部６２ｃｃを制御する。スイッチ処理部６２ｃｃは、制御信号生成部６２ｂｆの指示に応じて、スイッチ処理を行う。
【００６８】
［処理４］ＣＩ変換部６２ｄは、スイッチカード６２の内部処理基準のコンカチ情報を、インタフェースカード６３基準に変換する。ＸＣ部６２ｅは、主信号のクロスコネクト処理時に主信号の空きオーバヘッドにコンカチ情報を挿入して、インタフェースカード６３に出力する。
【００６９】
図１６は、伝送装置の動作を説明する図のその１である。図１６に示すＸＣドロップは、図１５のＯＨドロップ部６２ａの動作に対応する。図１６に示すバイト復元、オールゼロ設定、ＭＥＭ処理、コンカチ判定、先頭／従属、先頭ｔｓＮｏ、およびＯＤＵ  Ｓｉｚｅは、ＣＩ変換部６２ｂａの動作に対応する。
【００７０】
伝送装置は、インタフェースカード６１で挿入されたインタフェース基準のコンカチ情報を抽出する（ＸＣドロップ）。
伝送装置は、８ビットのバイト情報を主信号処理するために、１ビット、２ビット、４ビットと分けられた信号を復元する（バイト復元）。伝送装置は、バックボード（インタフェースカード６１，６３とスイッチカード６２の間にあるボード）の異常（ＬＯＳ（Loss of Signal），ＬＯＦ（Loss of Frame））で、コンカチ情報のマスクを行う（オールゼロ設定）。これは、異常なコンカチ情報でスイッチ制御をさせないためである。
【００７１】
伝送装置は、主信号処理ブロックとスイッチ制御信号生成部６２ｂ間のインタフェースの異常時のデータを、後段処理ブロックに出力しないように、６段の保護によって、有効データを後段処理ブロックに出力するようにする（ＭＥＭ（memory）処理）。
【００７２】
伝送装置は、正常なコンカチ情報であるかを判定する（コンカチ判定）。伝送装置は、コンカチ情報が正常なコードである場合、インタフェースカード基準のコンカチ情報をスイッチカード基準のコードに変換する（先頭／従属、先頭ｔｓＮｏ、およびＯＤＵ  Ｓｉｚｅ）。
【００７３】
図１７は、伝送装置の動作を説明する図のその２である。図１７に示すバーチャルスイッチは、図１５のＡＣＭコードスイッチ処理部６２ｃの動作に対応する。図１７に示すＯＨは、図１５のＯＨドロップ部６２ａの動作に対応する。ＳＷおよびＭＥＭは、図１５のスイッチ制御信号生成部６２ｂの動作に対応する。図１７に示すＣＯＮＣは、コンカチ情報を示す。なお、ＯＨの動作は、図１６で説明したので、その説明を省略する。
【００７４】
バーチャルスイッチは、ＯＨから出力されるコンカチ情報をスイッチカード基準のコードに変換する（図１７のバーチャルスイッチ内の矢印）。
伝送装置は、ＳＷのスイッチ処理（ＤＴＰ−ＳＷ、ＰＳＷ、またはＳ．Ｓのスイッチ処理）において、先頭ｔｓ時には、そのスイッチ情報の結果をＭＥＭに保持する。また、伝送装置は、従属ｔｓのスイッチ処理においては、従属ｔｓのコンカチ情報に含まれる先頭ｔｓの情報に基づいてＭＥＭを参照し、従属ｔｓに対応する先頭ｔｓのスイッチ情報を取得する（ＣＯＮＣ、ＳＷ、ＭＥＭ）。これにより、伝送装置は、従属ｔｓのスイッチ状態を、対応する先頭ｔｓのスイッチ状態に合わせ込むことができる。
【００７５】
図１８は、伝送装置の動作を説明する図のその３である。図１８に示すバーチャルスイッチは、図１５のＡＣＭコードスイッチ処理部６２ｃの動作に対応する。図１８に示すＯＨ部は、図１５のＯＨドロップ部６２ａの動作に対応する。図１８に示すＣＩ情報変換、ＭＥＭ、およびシリアルジェネレータは、図１５のＣＩ変換部６２ｄの動作に対応する。図１８に示すＣＯＮＣは、コンカチ情報を示す。なお、ＯＨ部の動作は、図１６で説明したので、その説明を省略する。また、バーチャルスイッチの動作は、図１７で説明したので、その説明を省略する。
【００７６】
伝送装置は、スイッチ後のコンカチ情報を再度インタフェースカード６３基準に変換する（ＣＩ情報変換、ＭＥＭ、シリアルジェネレータ）。伝送装置は、先頭ｔｓのコンカチ情報に対しては、ＭＥＭとシリアルジェネレータに出力する。伝送装置は、従属ｔｓのコンカチ情報に対しては、先頭ｔｓのスロット−ライン情報に基づいてＭＥＭを参照し、先頭ｔｓの位置を検索してコンカチ情報を生成する（ＭＥＭ、シリアルジェネレータ）。
【００７７】
コンカチ情報の変換について説明する。
図１９は、コンカチ情報変換を説明する図である。図１９の上側に示すコンカチ情報は、インタフェースカード基準のコンカチ情報を示している。下側に示すコンカチ情報は、スイッチカード基準のコンカチ情報を示している。
【００７８】
インタフェースカード基準のコンカチ情報は、先頭ｔｓまたは従属ｔｓのコンカチ情報を示すフラグ（flag）の情報を有する。また、インタフェースカード基準のコンカチ情報は、先頭のインタフェースカード番号（Slot No.）の情報を有する。また、インタフェースカード基準のコンカチ情報は、先頭ｔｓの場合、図１９に示す領域７１に、ＯＴＵのサイズを示す情報を有する。また、インタフェースカード基準のコンカチ情報は、従属ｔｓの場合、図１９に示す領域７１に、先頭ｔｓの番号を示す情報を有する。
【００７９】
ＣＩ変換部６２ｂａは、図１９に示すように、インタフェースカード基準のコンカチ情報をスイッチカード基準（ＯＤＵ２基準、１０Ｇ基準）のコンカチ情報に変換する。インタフェースカード基準のコンカチ情報のＳｉｄｅは、イースト側／ウエスト側を示す。ｔｓ  Ｎｏ．のｔ０，ｔ１は、ｔｓの番号を示し、ｔ２は、ワーク／プロテクトを示す。４００Ｇ  ＳｙｓおよびＳｙｓは、ＢＬＳＲ等のスイッチ切替えのための情報を示す。
【００８０】
このように、コンカチ情報をスイッチカード基準に変換することにより、伝送装置の様々なアプリケーションへの適用が容易になる。
図２０は、アプリケーションに対するコンカチ情報の変換を説明する図である。図２０に示すアプリケーションＡ，Ｂ，…は、伝送装置に適用されるアプリケーションを示している。例えば、アプリケーションＡ，Ｂ，…は、ＵＰＳＲまたはＢＬＳＲを示す。また、図２０に示すイースト−ワーク（Ｅ−ＷＫ）、イースト−プロテクション（Ｅ−ＰＴ）、ウエスト−ワーク（Ｗ−ＷＫ）、およびウエスト−プロテクション（Ｗ−ＰＴ）は、コンカチ情報の入力元を示している。
【００８１】
例えば、伝送装置は、アプリケーションＡに適用されるとする。コンカチ情報は、イースト−ワークから入力されたとする。この場合、伝送装置は、例えば、１＋１またはＢＬＳＲに対応するスイッチの切替えが発生した場合、図１９に示したスイッチ基準のコンカチ情報の一部の情報をＸ１１に変換する。例えば、Ｓｉｄｅを反転したり、ｔｓ５−８をｔｓ１−４に変換したりする。これにより、伝送装置は、様々なアプリケーションへの適用が容易になる。
【００８２】
図２１は、リングスイッチ前後のコンカチ情報を説明する図である。図２１には、リングスイッチ（Ｅ）がオン（Ｗ−ＰＴを選択）した場合の動作を示している。リングスイッチ（Ｅ）は、オンした場合、Ｗ−ＰＴを選択する。このとき、リング−スイッチ（Ｅ）でスイッチ処理されるコンカチ情報Ｄは、例えば、Ｓｉｄｅ情報がウエストからイーストに反転され、ｔｓ５〜８がｔｓ１〜４に変換される。
【００８３】
これにより、リングスイッチから出力されるコンカチ情報は、異なるものとなる。よって、伝送装置の下流側において、従属ｔｓが先頭ｔｓに付随して制御されるとき、従属ｔｓに対応する先頭ｔｓが唯一のものとなり、従属ｔｓは、適切な制御がなされる。
【００８４】
スイッチの合わせ込みについて説明する。伝送装置は、従属ｔｓのスイッチ状態を先頭ｔｓのスイッチ状態に合わせ込むために以下の処理を行う。
伝送装置は、先頭ｔｓのスイッチ状態をコンカチ情報にマッピングされているスイッチ基準の情報で保持する。具体的には、伝送装置は、先頭ｔｓの場合、ＰＳＷ（Ａ面、Ｂ面）、Ｓ．Ｓ（Ａｄｄ，Ｔｈｒｕ）、またはＤＴＰ−ＳＷ（ＷＫ，ＰＴ）のそれぞれにおいて、同じスイッチ情報を保持する。
【００８５】
伝送装置は、従属ｔｓの場合には、先頭ｔｓ処理時に保持したスイッチ状態を、従属ｔｓのコンカチ情報に含まれている先頭ｔｓ情報から読み出し、スイッチ制御に使用する。具体的には、伝送装置は、ＰＳＷ（Ａ面、Ｂ面）、Ｓ．Ｓ（Ａｄｄ，Ｔｈｒｕ）、またはＤＴＰ−ＳＷ（ＷＫ，ＰＴ）のそれぞれの両方のスイッチ状態を読み出し、読み出したスイッチ状態のイリーガル判定後のスイッチ状態をスイッチ制御に使用する。
【００８６】
なお、先頭ｔｓと従属ｔｓの順番は、規定されていないため、従属ｔｓの方が先に処理される場合がある。この場合、伝送装置は、前フレームの先頭ｔｓに従うことになる。また、伝送装置は、コンカチ情報がワーク／プロテクションで異なる場合、以下の処理を行う。伝送装置は、ＯＤＵレベルが異なる場合、大きいＯＤＵレベルに従う。また、伝送装置は、先頭ｔｓ／従属ｔｓがワーク／プロテクションで異なる場合、先頭ｔｓとして処理する。ただし、伝送装置は、ＯＤＵレベルが異なる場合は、大きいＯＤＵレベルに従う。
【００８７】
図２２は、スイッチ状態の合わせ込みを説明する図である。図２２に示すように、伝送装置は、従属ｔｓ処理時、従属ｔｓに付加されている先頭ｔｓのスイッチ状態を参照し、従属ｔｓのスイッチ状態として使用する。これにより、従属ｔｓは、対応する先頭ｔｓのスイッチ状態と同様のスイッチ状態でスイッチ処理される。
【００８８】
図２３は、スイッチ状態の合わせ込みを行うブロックを示した図である。図２３に示すメモリ８１は、例えば、図１５に示すメモリ６２ｂｄおよび図１７に示すＭＥＭに対応する。図２３に示す抽出部８２および読み出し部８３は、例えば、図１５に示す制御信号生成部６２ｂｆに対応する。メモリ８１に書き込まれるステータス情報（スイッチ状態）は、スイッチ（ＤＴＰ−ＳＷ、ＰＳＷ、またはＳ．Ｓ）から出力される。メモリ８１から出力されるステータス情報は、図１５に示す制御信号生成部６２ｂｆに出力される。
【００８９】
抽出部８２は、ｔｓ処理時に、そのｔｓが先頭ｔｓであると判断した場合、コンカチ情報に含まれる先頭ｔｓの先頭ｔｓ情報を抽出し、抽出した先頭ｔｓ情報をライトアドレス（waddr）として、先頭ｔｓのスイッチのステータス情報をメモリ８１に記憶する。
【００９０】
読み出し部８３は、ｔｓ処理時に、そのｔｓが従属ｔｓであると判断した場合、従属ｔｓのコンカチ情報に含まれる先頭ｔｓの先頭ｔｓ情報を抽出し、リードアドレス（raddr）を生成する。これにより、メモリ８１からは、従属ｔｓに対応する先頭ｔｓのステータス情報が読み出される。
【００９１】
クロスコネクト後のコンカチ情報の処理について説明する。伝送装置は、クロスコネクト設定において、グループＩＤをスイッチ基準で設定する。伝送装置は、アラームクロスコネクト後のコンカチ情報に対して、先頭ｔｓにおいては、クロスコネクト後の処理で使用する新しいコンカチ情報を生成する。また、伝送装置は、従属ｔｓにおいては、対応する先頭ｔｓのコンカチ情報を検索して、検索した先頭ｔｓのコンカチ情報に基づいて新しいコンカチ情報を生成する。伝送装置は、新たに生成したコンカチ情報によりＰＳＷ処理を行い、ＰＳＷ結果によってＡ面／Ｂ面の選択を行って、クロスコネクト後のバーチャルスイッチを行う。
【００９２】
図２４は、クロスコネクト後のコンカチ情報処理を説明する図である。図２４には、伝送装置内のＸＣ部９１が示してある。図２４のＸＣ部９１は、例えば、図１５のＸＣ部６２ｂｂに対応する。ＯＴＮの規格では、先頭ｔｓと従属ｔｓの関係をフレキシブルに設定できるため、クロスコネクト後の先頭ｔｓと従属ｔｓの関係を判断することができない。そこで、伝送装置は、マルチキャストしたｔｓ１〜８のグループにグループＩＤを付与する。例えば、図２４に示すように、マルチキャストしたｔｓ１〜８のグループにグループＩＤ０，１，…を付与する。なお、スロットの異なるｔｓグループには、同じグループＩＤを付与してもよい。
【００９３】
ＸＣ部９１によってクロスコネクトされる先頭ｔｓのコンカチ情報は、自分の出力先が分かるので、その出力先の番号が新たな（クロスコネクト後の）先頭ｔｓのコンカチ情報となる。また、ＸＣ部９１に入力される先頭ｔｓのコンカチ情報には、クロスコネクトされる前の先頭ｔｓ情報が含まれている。従って、クロスコネクト後の先頭ｔｓのコンカチ情報には、古い先頭ｔｓの先頭ｔｓ情報も含まれている。
【００９４】
従属ｔｓのクロスコネクト後のコンカチ情報は、同じグループＩＤのｔｓ１〜８において、古い先頭ｔｓの先頭ｔｓ情報に基づいて、対応する新たな先頭ｔｓのコンカチ情報を検索する。そして、従属ｔｓのクロスコネクトされたコンカチ情報は、検索した先頭ｔｓのコンカチ情報の新たな先頭ｔｓの情報を、新たな先頭ｔｓ情報として再生成される。
【００９５】
このように、伝送装置は、クロスコネクトしたｔｓにグループＩＤを付与する。そして、伝送装置は、同じグループＩＤ内において、従属ｔｓに対応する先頭ｔｓを検索し、従属ｔｓの新たなコンカチ情報を再生成する。これにより、伝送装置は、クロスコネクト後の従属ｔｓと先頭ｔｓとの関係を結びつけることができる。また、伝送装置は、同じグループＩＤ内で従属ｔｓに対応する先頭ｔｓを検索すればよいので、従属ｔｓのコンカチ情報再生成の時間を短縮することができる。
【００９６】
図２５は、コンカチ情報の再生成処理を行うブロックを示した図である。図２５には、バーチャルスイッチ１０１、フラグＸＣ部１０２ａ，１０２ｂ、ＸＣメモリ１０３、コンカチメモリ１０４ａ，１０４ｂ、検索部１０５ａ，１０５ｂ、ＰＳＷ１０６、セレクタ（ＳＥＬ）１０７，１０８が示してある。図２５に示すバーチャルスイッチ１０１は、図１５のＡＣＭコードスイッチ処理部６２ｃに対応する。図２５に示すフラグＸＣ部１０２ａ，１０２ｂは、図１５のＸＣ部６２ｂｂに対応する。図２５に示すコンカチメモリ１０４ａ，１０４ｂおよび検索部１０５ａ，１０５ｂは、再生成部６２ｂｃに対応する。図２５に示す（Ａ），（Ｂ）は、Ａ面、Ｂ面（イースト、ウエスト）を示している。
【００９７】
フラグＸＣ部１０２ａ，１０２ｂには、バーチャルスイッチ１０１からコンカチフラグおよびコンカチ情報が入力される。フラグＸＣ部１０２ａ，１０２ｂは、コンカチフラグが入力されると、ＸＣメモリ１０３に記憶されている、ＡＬＭＸＣ（ALMrm XC）後（ＰＳＷ後）のＡＣＭコードに基づいて、コンカチ情報をクロスコネクトし、クロスコネクトしたコンカチ情報をコンカチメモリ１０４ａ，１０４ｂに出力する。
【００９８】
コンカチ情報は、例えば、ｔｓ１〜ｔｓ８ごとのグループでマルチキャストされる。コンカチ情報は、コンカチメモリ１０４ａ，１０４ｂに記憶される際、ＸＣメモリ１０３に記憶されているグループＩＤが付与される。
【００９９】
検索部１０５ａ，１０５ｂは、クロスコネクトされたコンカチ情報が先頭ｔｓの場合、その先頭ｔｓの出力先を知ることができるので、その出力先の番号を有する、新たな先頭ｔｓのコンカチ情報を生成する。生成されたコンカチ情報は、コンカチメモリ１０４ａ，１０４ｂに保持されるとともに、ＰＳＷ１０６に出力される。
【０１００】
また、検索部１０５ａ，１０５ｂは、クロスコネクトされたコンカチ情報が従属ｔｓの場合、クロスコネクトされた従属ｔｓのコンカチ情報に含まれる先頭ｔｓ情報（古い先頭ｔｓ情報）に基づいて、対応する新たな先頭ｔｓのコンカチ情報を検索する。検索部１０５ａ，１０５ｂは、検索した新たな先頭ｔｓの先頭ｔｓ情報を有する、新たな従属ｔｓのコンカチ情報を生成する。生成されたコンカチ情報はＰＳＷ１０６に出力される。
【０１０１】
ＰＳＷ１０６は、新たなコンカチ情報に基づいてパススイッチを行う。ＰＳＷ１０６は、従属ｔｓのコンカチ情報が出力された場合、先頭ｔｓのコンカチ情報に応じたパススイッチ処理に従う。ＰＳＷ１０６のステータス情報は、セレクタ１０７，１０８に出力される。
【０１０２】
セレクタ１０７は、ＰＳＷ１０６のステータス情報に基づいて、Ａ面のコンカチメモリ１０４ａまたはＢ面のコンカチメモリ１０４ｂに記憶されている新たなコンカチ情報を選択し、バーチャルスイッチ１０１へ出力する。セレクタ１０８は、ＰＳＷ１０６のステータス情報に基づいて、ＸＣメモリ１０３に記憶されている、Ａ面のＡＣＭコードまたはＢ面のＡＣＭコードを選択し、バーチャルスイッチ１０１へ出力する。バーチャルスイッチ１０１は、セレクタ１０７，１０８から出力されるコンカチ情報およびＡＣＭコードに基づいて、所定の処理を行う。
【０１０３】
図２６は、コンカチ情報の再生成処理動作を説明する図である。図２６に示すＸＣメモリ１１１は、図２５のフラグＸＣ部１０２ａ，１０２ｂに対応する。図２６に示すＡＣＭコードは、図２５に示すＡＣＭコードに対応する。図２６に示すグループＩＤ１１３は、図２５のＸＣメモリ１０３のグループＩＤに対応する。図２６に示すＣＩメモリ１１６は、図２５のコンカチメモリ１０４ａ，１０４ｂに対応する。内部Ｓｙｓ−ＳｉｄｅＣＴＲ（ＣＴＲ：カウンタ）１１２、セレクタ１１４，１１５、および検索ＣＴＲ１１７は、図２５の検索部１０５ａ，１０５ｂに対応する。
【０１０４】
ＸＣメモリ１１１からは、クロスコネクトされたコンカチ情報が出力される。ＸＣメモリ１１１から出力されるコンカチ情報、ＸＣ後の先頭ｔｓ情報、およびグループＩＤは、セレクタ１１４に入力される。
【０１０５】
内部Ｓｙｓ−ＳｉｄｅＣＴＲ１１２は、従属／先頭ｔｓのコンカチ情報、グループＩＤ、およびＸＣ後の先頭ｔｓ情報をＣＩメモリ１１６に書き込むためのアドレスを生成している。以下で説明するが、図１５のスイッチ制御信号生成部６２ｂおよびＡＣＭコードスイッチ処理部６２ｃがスイッチ処理する内部シリアル処理期間内に、従属／先頭ｔｓのコンカチ情報、グループＩＤ、およびＸＣ後の先頭ｔｓ情報のＣＩメモリ１１６への書き込みが行われる。
【０１０６】
内部シリアル処理期間後、従属ｔｓのコンカチ情報の再生成が行われる。検索ＣＴＲ１１７からは、インクリメントしたＣＩメモリ１１６のアドレスが出力される。ＣＩメモリ１１６からは、アドレスに対応したコンカチ情報が出力され、セレクタ１１４に出力される。
【０１０７】
セレクタ１１４は、従属ｔｓのコンカチ情報が出力された場合、グループＩＤに基づいて従属ｔｓに対応する先頭ｔｓの先頭ｔｓ情報を検索し、新たな従属ｔｓのコンカチ情報として生成し、ＣＩメモリ１１６に再度書き込む。
【０１０８】
図２７は、コンカチ情報の再生成処理タイミングを示した図である。図２７に示す１０．７ＫＴＰおよび５．３６ＫＴＰは、伝送装置内の基準タイミングを示している。
図１５のスイッチ制御信号生成部６２ｂおよびＡＣＭコードスイッチ処理部６２ｃは、図２７に示す内部シリアル処理期間内にスイッチ処理を行う。図２６に示すＣＩメモリ１１６には、この内部シリアル処理期間内に、従属／先頭ｔｓのコンカチ情報、グループＩＤ、およびＸＣ後の先頭ｔｓ情報が書き込まれる。そして、図２７に示す先頭ｔｓ検索期間において、従属ｔｓに対応する先頭ｔｓの検索が行われ、従属ｔｓのコンカチ情報が再生成される。
【０１０９】
なお、全ｔｓ（１９２０ｔｓ）を検索するのに約３ｍｓかかる。上記の処理を３２パラレル化することにより、約１ｍｓにまで改善することができる。
図２８は、コンカチ情報の再生成処理のフローチャートである。
【０１１０】
［ステップＳ１］伝送装置は、ＸＣメモリ１１１からのコンカチ情報の読み出しをＰＳＷ後のＡＣＭコードで行う。
［ステップＳ２］伝送装置は、読み出したコンカチ情報が先頭ｔｓのコンカチ情報か従属ｔｓのコンカチ情報か判断する。伝送装置は、先頭ｔｓのコンカチ情報の場合、ステップＳ３へ進む。伝送装置は、従属ｔｓのコンカチ情報の場合、ステップＳ４へ進む。
【０１１１】
［ステップＳ３］伝送装置は、古い先頭ｔｓ情報（クロスコネクト前の先頭ｔｓ情報）を有する新たな先頭ｔｓのコンカチ情報にグループＩＤを付与する。伝送装置は、グループＩＤを付与した新たな先頭ｔｓのコンカチ情報をＣＩメモリ１１６に記憶する。
【０１１２】
［ステップＳ４］伝送装置は、従属ｔｓのコンカチ情報にグループＩＤを付与する。伝送装置は、グループＩＤを付与したコンカチ情報をＣＩメモリ１１６に記憶する。
なお、ステップＳ１〜Ｓ４の処理は、内部シリアル処理期間で行われる。
【０１１３】
［ステップＳ５］伝送装置は、ＣＩメモリ１１６からデータ（コンカチ情報）を読み出す。
［ステップＳ６］伝送装置は、読み出したコンカチ情報が先頭ｔｓのコンカチ情報か従属ｔｓのコンカチ情報が判断する。伝送装置は、読み出したコンカチ情報が先頭ｔｓのコンカチ情報の場合、ステップＳ５へ進む。伝送装置は、読み出したコンカチ情報が従属ｔｓのコンカチ情報の場合、ステップＳ７へ進む。
【０１１４】
［ステップＳ７］伝送装置は、読み出したコンカチ情報に含まれるグループＩＤと、古い先頭ｔｓ情報とから、対応する新たな先頭ｔｓのコンカチ情報を検索する。
［ステップＳ８］伝送装置は、検索したコンカチ情報が従属ｔｓのコンカチ情報の場合、ステップＳ７へ進む。伝送装置は、検索したコンカチ情報が先頭ｔｓのコンカチ情報の場合、ステップＳ９へ進む。
【０１１５】
［ステップＳ９］伝送装置は、検索した新たな先頭ｔｓのコンカチ情報に基づき、新たな従属ｔｓのコンカチ情報を生成する。すなわち、伝送装置は、新たな先頭ｔｓのコンカチ情報に従属する（新たな先頭ｔｓの先頭ｔｓ情報を有する）従属ｔｓのコンカチ情報を生成する。
【０１１６】
［ステップＳ１０］伝送装置は、先頭ｔｓ検索期間内か判断する。伝送装置は、先頭ｔｓ検索期間内の場合、ステップＳ５へ進む。伝送装置は、先頭ｔｓ検索期間内でない場合、処理を終了する。
【０１１７】
なお、ステップＳ５〜Ｓ１０は、先頭ｔｓ検索期間で行われる。また、伝送装置は、図２８に示す処理を繰り返す。
図２９は、マルチキャスト動作を示した図である。図２９には、伝送装置内のＸＣ１２１が示してある。
【０１１８】
図２９に示すように、ＸＣ１２１は、先頭／従属ｔｓをマルチキャストしている。ＸＣ１２１は、入力された先頭／従属ｔｓを、ｔｓ１，ｔｓ６およびｔｓ２，ｔｓ５に２分岐している。また、図２９では、ｔｓ１，ｔｓ６にグループＩＤ０が付与され、ｔｓ２，ｔｓ５にグループＩＤ１が付与されている。
【０１１９】
図２９において、例えば、グループＩＤ０の従属ｔｓ６は、同じグループＩＤの先頭ｔｓを検索する。これにより、ｔｓ６に対応する先頭ｔｓとして、ｔｓ１が検索される。これにより、クロスコネクト後の新たな先頭ｔｓに従属する適切な従属ｔｓのコンカチ情報を生成することができる。
【０１２０】
このように、伝送装置は、コンカチ情報をスイッチ基準のコンカチ情報に変換し、アプリケーションに応じた変換を行うようにした。これにより、同一のコンカチ情報が生成されなくなり、従属ｔｓを適切な先頭ｔｓに従属させることができる。
【０１２１】
また、伝送装置は、先頭ｔｓのスイッチ状態をメモリに保持し、従属ｔｓの対応するスイッチ状態をメモリから読み出すようにした。これにより、伝送装置は、先頭ｔｓと従属ｔｓのスイッチの合わせ込みを適切に行うことができる。
【０１２２】
また、伝送装置は、クロスコネクトしたｔｓにグループＩＤを付与する。そして、伝送装置は、同じグループＩＤ内において、従属ｔｓに対応する先頭ｔｓを検索し、従属ｔｓの新たなコンカチ情報を再生成するようにした。これにより、伝送装置は、クロスコネクト後の従属ｔｓと先頭ｔｓとの関係を結びつけることができる。
【０１２３】
なお、上記では、マルチキャストについて説明したが、ブロードキャストの場合も同様である。
【符号の説明】
【０１２４】
１  ＸＣ部
２  付与部
３  検索部
４  再生成部
５  記憶部
６  情報検索部
７  切替え部
【図１】
0005821667.tif 000002
【図２】
0005821667.tif 000003
【図３】
0005821667.tif 000004
【図４】
0005821667.tif 000005
【図５】
0005821667.tif 000006
【図６】
0005821667.tif 000007
【図７】
0005821667.tif 000008
【図８】
0005821667.tif 000009
【図９】
0005821667.tif 000010
【図１０】
0005821667.tif 000011
【図１１】
0005821667.tif 000012
【図１２】
0005821667.tif 000013
【図１３】
0005821667.tif 000014
【図１４】
0005821667.tif 000015
【図１５】
0005821667.tif 000016
【図１６】
0005821667.tif 000017
【図１７】
0005821667.tif 000018
【図１８】
0005821667.tif 000019
【図１９】
0005821667.tif 000020
【図２０】
0005821667.tif 000021
【図２１】
0005821667.tif 000022
【図２２】
0005821667.tif 000023
【図２３】
0005821667.tif 000024
【図２４】
0005821667.tif 000025
【図２５】
0005821667.tif 000026
【図２６】
0005821667.tif 000027
【図２７】
0005821667.tif 000028
【図２８】
0005821667.tif 000029
【図２９】
0005821667.tif 000030